(57)【要約】【課題】指の蒸れ、かぶれ及び皮膚の剥離を防止でき、かつ固定した指の痛みを軽減することができるダイエット用具を提供する。【解決手段】ダイエット用具１は、帯状に形成された透湿性を有するベルトからなり、前記各指に接着することなく、各指の周囲に巻き付いた状態を維持し得る固定手段を具備する。かかるダイエット用具１を用いて、足の第２指を第１指の上に重ね合わせた状態で固定することにより、指の蒸れ、かぶれ及び皮膚の剥離を防止でき、かつ固定した指の痛みを軽減することができる。【選択図】  図１
2004237009.tif 000002
【特許請求の範囲】
【請求項１】
足の第２指を第１指の上に重ね合わせた状態で固定するダイエット用具であって、帯状に形成された透湿性を有するベルトからなり、前記各指に接着することなく、各指の周囲に巻き付いた状態を維持し得る固定手段を具備することを特徴とするダイエット用具。
【請求項２】
固定される前記各指のうちのいずれか一方を挿通可能に形成されるループ部を具備することを特徴とする請求項１に記載のダイエット用具。
【請求項３】
前記固定手段が、前記ベルトの端部を該ベルトの一面に着脱自在に固着する一組の面ファスナからなることを特徴とする請求項１又は２に記載のダイエット用具。
【請求項４】
前記ベルトの端部に、幅方向に沿って糸を縫い付けることにより形成されるミシン目が、長手方向に所定の間隔をおいて複数設けられていることを特徴とする請求項１から３のいずれか１項に記載のダイエット用具。
【発明の詳細な説明】
【０００１】
【産業上の利用分野】
本発明は、ダイエット用具に関し、より詳しくは、足の第２指を第１指の上に重ね合わせた状態で固定するダイエット用具に関する。
【０００２】
【従来の技術】
従来、粘着テープや輪ゴムなどを用いて足の第２指を第１指の上に重ね合わせた状態で固定し、この状態で歩行等するだけで下半身のダイエット効果が得られるというダイエット方法が知られている（例えば、非特許文献１参照）。
【０００３】
【非特許文献１】
松永みち子著，「松永式らくらく速効ダイエット」，株式会社日本文芸社，平成１５年１月２５日，ｐ．８７
【０００４】
【発明が解決しようとする課題】
しかしながら、上記のダイエット方法では、足の第２指を第１指の上に重ね合わせた状態で固定するために、固定具として「粘着テープ」を用いているため、固定された指が蒸れたり、かぶれたりすることがあった。また、該テープを剥がす際に、指の皮膚が剥離することもあった。一方、固定具として「輪ゴム」を用いた場合には、該輪ゴムが指に食い込むことによる鬱血や痛みがあるという問題があった。また、いずれの固定具の場合でも、第１指の上に重ね合わせた第２指を一方の手で支えながら他方の手で固定具を装着しなければならないので、指への装着が面倒であった。
【０００５】
本発明は上記事情に鑑みなされたものであり、足の第２指を第１指の上に重ね合わせた状態で固定するダイエット用具において、指の蒸れ、かぶれ及び皮膚の剥離を防止でき、かつ固定した指の痛みを軽減することができるダイエット用具を提供することを課題とする。また、本発明は、装着及び取り外しが容易なダイエット用具を提供することを課題とする。
【０００６】
【課題を解決するための手段】
上記した課題を解決するため、請求項１に記載の本発明は、足の第２指を第１指の上に重ね合わせた状態で固定するダイエット用具であって、帯状に形成された透湿性を有するベルトからなり、前記各指に接着することなく、各指の周囲に巻き付いた状態を維持し得る固定手段を具備することを特徴とするダイエット用具を提供する。
請求項２に記載の本発明は、固定される前記各指のうちのいずれか一方を挿通可能に形成されるループ部を具備することを特徴とする請求項１に記載のダイエット用具を提供する。
請求項３に記載の本発明は、前記固定手段が、前記ベルトの端部を該ベルトの一面に着脱自在に固着する一組の面ファスナからなることを特徴とする請求項１又は２に記載のダイエット用具を提供する。
請求項４に記載の本発明は、前記ベルトの端部に、幅方向に沿って糸を縫い付けることにより形成されるミシン目が、長手方向に所定の間隔をおいて複数設けられていることを特徴とする請求項１から３のいずれか１項に記載のダイエット用具を提供する。
【０００７】
（作用）
請求項１に記載の本発明によれば、透湿性を有するベルトからなり、該ベルトが各指に接着することなく、各指の周囲に巻き付いた状態を維持し得る固定手段を具備するため、指の蒸れ、かぶれ及び皮膚の剥離を防止できる。また、帯状に形成され、装着時に指に食い込み難いことから、固定した指の痛みを軽減することができる。また、本発明のダイエット用具を用いて、足の第２指を第１指の上に重ね合わせた状態で固定することにより、従来の固定具を用いたダイエット方法と同等の下半身のダイエット効果を得ることが可能である。
請求項２に記載の本発明によれば、ループ部を具備するため、一方の指をループ部に挿通して、他方の指と重ね合わせて固定することにより、指同士の間にベルトの一部が介在することとなり、指同士が直接接触しないので、指の蒸れをより効果的に防止できる。また、一方の指をループ部に挿通した後、ベルトの端部側を引き上げ又は引き下げて、その端部側を引き続き各指の周りに巻き付けることで、第２指が第１指の上に重ねられた状態とすることができるので、片手でも容易に装着できる。
請求項３に記載の本発明によれば、固定手段が、一組の面ファスナからなるため、締め付け具合の調整が容易であり、また、装着及び取り外しが容易である。請求項４に記載の本発明によれば、ベルトの端部に、長手方向に所定の間隔をおいて複数のミシン目が設けられているため、使用者の指の太さに合わせて長さを調節する場合に、上記ミシン目の外縁に沿って切断することにより、切断部の解れを生じ難くすることができる。
【０００８】
【発明の実施の形態】
以下、本発明の実施形態を図面に基づいてさらに詳しく説明する。
図１は、本発明の一の実施形態に係るダイエット用具１を示す図であり、（ａ）は正面図、（ｂ）は平面図である。この図に示したように、本実施形態に係るダイエット用具１は、足の第２指を第１指の上に重ね合わせた状態で固定し得る所定の長さと幅を有する帯状に形成された透湿性を有するベルトから構成される。具体的には、かかるベルトは、ゴム（例えば、過酸化物加硫天然ゴム、過酸化物加硫イソブレンゴム、シリコンゴム、かぶれの原因となる溶出物を取り除いた硫黄加硫天然ゴム又は硫黄加硫イソブレンゴム等）や熱可塑性エラストマー（例えば、スチレン系熱可塑性エラストマー、ポリウレタン系熱可塑性エラストマー、オレフィン系熱可塑性エラストマー等）などからなり帯状に成形された透湿性を有する成形体（例えば、多孔質成形体）、該成形体の表面を布（例えば、綿、ウレタン、ナイロン、アクリル等からなる単独の繊維又は混紡からなる織物）で被覆したもの、或いは天然繊維又は合成繊維からなり帯状に形成された織布などから構成される。
【０００９】
かかるベルトからなるダイエット用具１は、一端１ａが他端１ｂ側に折り返され、上面１ｃに縫着、融着又は接着されることにより形成されるループ部１ｄを有する。ループ部１ｄは、足の第１指と第２指のうちのいずれか一方、例えば、第２指を挿通可能な大きさに形成される。
【００１０】
また、ダイエット用具１は、足の第１指と第２指に接着することなく、各指の周囲に巻き付いた状態を維持し得る固定手段を有する。すなわち、このダイエット用具１は、従来の粘着テープのように、足の第１指と第２指に接着することにより各指の周囲に巻き付いた状態を維持し得るものではなく、上記固定手段により各指の周囲に巻き付いた状態を維持し得るものである。
【００１１】
固定手段としては、ベルトの端部、すなわちダイエット用具１の他端１ｂ付近を、該ベルトの一面、すなわちダイエット用具１の下面１ｅ（ループ部１ｄの外面）に、着脱自在に固着する一組の面ファスナ２ａ，２ｂから構成されることが好ましい。かかる一組の面ファスナ２ａ，２ｂは、ダイエット用具１のループ部１ｄの外面に設けられた一の面ファスナ２ａと、ダイエット用具１の下面１ｅにおける他端１ｂ付近に設けられた他の面ファスナ２ｂとを組み合わせることにより固着できるようにつくられている。
【００１２】
また、ダイエット用具１には、ベルトの端部、すなわちダイエット用具１の他端１ｂ付近に、幅方向に沿って糸を縫い付けることにより形成されるミシン目３が、長手方向に所定の間隔をおいて複数設けられている。
【００１３】
次に、図２乃至図４に基づいて、上記のように構成されるダイエット用具１の使用例を説明する。
【００１４】
まず、足の第２指Ｆ２をループ部１ｄ内に挿通し、ダイエット用具１の他端１ｂ側を上方向に引き上げることにより、第１指Ｆ１の上に重ね合わせる。そして、引き続きダイエット用具１の他端１ｂ側を第１指Ｆ１の周囲に巻き付けていき、他端１ｂ付近に設けられた他の面ファスナ２ｂをループ部１ｄの外面に設けられた一の面ファスナ２ａに係合固着させる。これにより、第２指Ｆ２は、第１指Ｆ１の上に重なり合った状態で固定される（図２及び図３参照）。そして、使用後には、一組の面ファスナ２ａ，２ｂの係合状態を解除することにより簡単に取り外すことができる。
【００１５】
ここで、ダイエット用具１は、透湿性を有するため、発汗による湿気を適度に除去することができ、各指Ｆ１，Ｆ２の蒸れを防止することができる。また、ダイエット用具１が各指Ｆ１，Ｆ２に接着するすることなく、各指Ｆ１，Ｆ２の周囲に巻き付いた状態を維持し得る固定手段を備え、従来の粘着テープのように、各指Ｆ１，Ｆ２の皮膚に粘着成分が付着することがないので、かぶれや皮膚の剥離も防止することができる。また、帯状に形成されることにより、装着した際に、各指Ｆ１，Ｆ２に食い込むことがないので、食い込みによる鬱血や痛みも防止することができる。
【００１６】
また、上記のように装着することにより、ループ部１ｄの一部が第１指Ｆ１と第２指Ｆ２との間に介在するため、各指Ｆ１，Ｆ２同士の直接の接触を回避することができ、各指Ｆ１，Ｆ２の蒸れをより効果的に防止することができる。また、ループ部１ｄを備えることにより、第２指Ｆ２をループ部１ｄに挿通した後、ダイエット用具１の他端１ｂ側を引き上げて、その他端１ｂ側を引き続き第１指Ｆ１の周りに巻き付けることで、第２指Ｆ２が第１指Ｆ１の上に重ねられた状態をつくることができるので、片手でも容易に装着できる。
【００１７】
また、ダイエット用具１の固定手段として、着脱自在の一組の面ファスナ２ａ，２ｂを採用したことにより、各指Ｆ１，Ｆ２をダイエット用具１により強く締めすぎた場合でも、他端１ｂの固定位置を簡単に調節することができるので、締め付け具合の調整が容易であり、各指Ｆ１，Ｆ２の痛みの発生を未然に防ぐことができる。また、一組の面ファスナ２ａ，２ｂによりダイエット用具１の他端１ｂを固定する構造であるため、ダイエット用具１の装着及び取り外しが容易である。
【００１８】
また、各指Ｆ１，Ｆ２の太さには個人差があるので、装着した際に、他端１ｂ側に余る部分が生じることがある。この場合、該余り部分を切断することにより長さを調節することができるが、ダイエット用具１には、他端１ｂ付近にミシン目３が複数設けられているため、図４に示したように、そのうちのいずれかのミシン目３の外縁に沿って切断することにより、切断部の解れを生じ難くすることができる。
【００１９】
本実施形態に係るダイエット用具１の作用効果を確認するため、従来用いられていた粘着テープとの比較試験を実施した。
【００２０】
実施例であるダイエット用具１は、透湿性を有する織布からなり、全長（Ａ）が１７０ｍｍ、幅（Ｂ）が１５ｍｍ、厚さが０．５ｍｍの帯状に形成されたベルトから構成され、ループ部１ｄを形成する一端１ａの折り返し長さ（Ｃ）は、縫い代を除き６０ｍｍである（図１（ｂ）参照）。
比較例である粘着テープは、幅が１２ｍｍのものを使用した。
【００２１】
試験期間は４日、１日あたりの平均装着時間は５時間であり、被験者が、実施例と比較例をそれぞれ装着し、装着の容易さ、指のずれの有無、蒸れの有無、かぶれの有無、皮膚の剥離の有無、装着時の痛みの有無について評価した。結果を表１に示す。
【００２２】
【表１】
2004237009.tif 000003
【００２３】
表１に示された結果から、本実施形態に係るダイエット用具１（実施例）によれば、装着が容易で、指のずれも起こることがなく、また、指の蒸れ、かぶれ、皮膚の剥離及び装着時の痛みがいずれも生じ難いことが確認された。一方、比較例では、指のずれは起こり難いけれども、装着が容易でないことが確認された。また、指の蒸れ、かぶれ、皮膚の剥離及び装着時の痛みがいずれもあることが確認された。
【００２４】
【発明の効果】
以上説明したように、本発明によれば、足の第２指を第１指の上に重ね合わせた状態で固定するダイエット用具において、指の蒸れ、かぶれ及び皮膚の剥離を防止でき、かつ固定した指の痛みを軽減することができるダイエット用具を提供することが可能となる。また、本発明によれば、装着及び取り外しが容易なダイエット用具を提供することが可能となる。
【図面の簡単な説明】
【図１】図１は、本発明の一の実施形態に係るダイエット用具を示す図であり、（ａ）は正面図、（ｂ）は平面図である。
【図２】図２は、上記実施形態に係るダイエット用具を装着した状態を上からみた図である。
【図３】図３は、上記実施形態に係るダイエット用具を装着した状態を正面側からみた図である。
【図４】図４は、上記実施形態に係るダイエット用具に設けられたミシン目の作用を説明するための図である。
【符号の説明】
１  ダイエット用具
１ｄ  ループ部
２ａ  一の面ファスナ
２ｂ  他の面ファスナ
３  ミシン目
【図１】
2004237009.tif 000004
【図２】
2004237009.tif 000005
【図３】
2004237009.tif 000006
【図４】
2004237009.tif 000007